(57)【要約】【課題】遮光性は勿論のこと、車室内の脱臭が手軽に行なえる自動車用日除け具を提供する。【解決手段】ウインドガラスに対向状に設置して用いる自動車用日除け具において、日除け具本体の裏面に光触媒層を積層し、日除け具本体の表面に、光を反射させるための反射層を積層して、メンテナンスフリーで、車室内の脱臭が手軽に行なえながらしかも製造コストやランニングコストを削減できるようにした。【選択図】　図２
2004034901.tif 000002
【特許請求の範囲】
【請求項１】
ウインドガラスに対向状に設置して用いる自動車用日除け具であって、
日除け具本体の表面と裏面の少なくともいずれか一方には光触媒層が積層されていることを特徴とする自動車用日除け具。
【請求項２】
日除け具本体の裏面には光触媒層が積層され、日除け具本体の表面には、光を反射させるための反射層が積層されている請求項１に記載の自動車用日除け具。
【発明の詳細な説明】
【０００１】
【産業上の利用分野】
本発明は、主として車室内においてウインドガラスを覆うように設置して、太陽光が車室内に差し込むのを防止する自動車用日除け具に関する。
【０００２】
【従来の技術】
一般にこの種の日除け具は、例えば、実開平　４−８９４１６号公報にも示されているように、厚紙や段ボールからウインドガラスのほぼ全面を覆う大きさに形成されてなり、使用に際しては、ウインドガラスの内面側に設置して、太陽光を遮る一方、不使用時にあっては、上下方向に延びる複数の折曲げ線に沿って蛇腹状に折り畳んでトランクルームなどに保管するようにしている。
【０００３】
【発明が解決しようとする課題】
ところで以上の日除け具が使用される自動車の室内は、密閉された空間であることから、タバコ臭や車室内のシートやマットの匂いあるいは空調機から吹き出されるカビ臭などの匂いがこもり易いものである。
【０００４】
そこで従来ではこれらの異臭を除去するのに、活性炭などのフィルタを備え、このフィルタに車内の悪臭成分を吸着させるようにした空気清浄器や、電気的にオゾンなどを発生させて悪臭成分の除去を行うようにした空気清浄装置が開発されている。
【０００５】
【発明が解決しようとする課題】
しかしながら、フィルタを用いた空気清浄機器では、臭成分を吸着させる能力が時間の経過と共に低下するので、フィルタを定期的に交換しなければならず、フィルタの交換作業が煩わしいし、またランニングコストがかかるという問題がある。
【０００６】
一方、電気的に悪臭成分の除去を行う空気清浄装置では、装置自体が複雑な構造となって、製造コストが高くなるし、電源が必要となり、使用が制限される問題がある。
【０００７】
本発明は、以上の実情に鑑みて開発したものであって、目的とするところは、極めて簡単な構成でありながら遮光性は勿論のこと、車室内の脱臭が手軽に行なえる自動車用日除け具を提供することにある。
【０００８】
【課題を解決するための手段】
以上の目的を達成するために、請求項１に記載の発明は、日除け具本体の表面と裏面の少なくともいずれか一方に光触媒層を積層したことを特徴とするものである。
【０００９】
また請求項２に記載の発明は、請求項１に記載の自動車用日除け具において、日除け具本体の裏面に光触媒層を積層し、日除け具本体の表面に、光を反射させるための反射層を積層したことを特徴とするものである。
【００１０】
【発明の実施の形態】
以下、本発明にかかる自動車用日除け具の一実施形態を説明する。
【００１１】
図において符号Ｓで示す自動車用日除け具は、自動車のフロントウインドガラスの内面側ほぼ全面に装着できる正面視略台形状に形成されているのであって、この日除け具Ｓは、基本的には、表面側遮光シート部１と、裏面側遮光シート部２と、これら表面側遮光シート部１と裏面側遮光シート部２との間に介装された断熱部３とを備えている。
【００１２】
表面側遮光シート部１はポリエチレン製のシート１１から構成され、また裏面側遮光シート部２にあってもポリエチレン製のシート２１から構成されている。
【００１３】
断熱部３は、密閉断熱空間Ｐを画成する多数の凹所３０が密集して設けられたポリエチレン製のシート３１から構成され、この断熱部３を構成するシート３１を、表面側遮光シート部１を構成するシート１１の内面及び裏面側遮光シート部２を構成するシート２１の内面にそれぞれ接着して、凹所３０内に空気が充填された状態で凹所３０の開口を裏面側遮光シート部２を構成するシート２１で閉鎖するようにしている。
【００１４】
尚、凹所３０は、いずれも横断面円形に形成されている。
【００１５】
そして以上の構成からなる日除け具において、表面側遮光シート部１を構成するシート１１の外面には、アルミを蒸着させて形成した反射層４が積層されている。
【００１６】
また裏面側遮光シート部２を構成するシート２１の外面には、光触媒層５が積層されている。
【００１７】
光触媒層５は、酸化チタンからなる徴微粒子の光触媒を充填したマイクロカプセルが配合された塗料（和信化学工業株式会社製の製品名「光触媒ウレタン２００コート」）が使用され、この塗料をシート２１の外面に塗付している。
【００１８】
尚、図２では、表面側遮光シート部１、裏面側遮光シート部２、断熱部３を構成する各シート１１・２１・３１並びに反射層４、光触媒層５を厚肉に表しているが、これはこれらシート１１・２１・３１並びに反射層４、光触媒層５を図面上明確に表すためであって、実際は、シート２１・２１・３１は、いずれも非常に薄肉のシート材から形成され、またに反射層４、光触媒層５にあっても非常に薄肉である。
【００１９】
また以上の構成からなる日除け具Ｓは、平行に配設された複数の折曲げ線状部６が備えられて、この折り曲げ線状部６に沿って交互に反対方向に折り曲げることで、蛇腹状に畳めるようにしている。
【００２０】
また日除け具Ｓの周縁には、その周縁を覆う縁取りテープ７が逢着されており、またこの日除け具Ｓの一側の上下には、ゴム紐から構成されたリング状のバンド８が取り付けられている。
【００２１】
また日除け具Ｓの上縁部の中央部分には、この日除け具Ｓをフロントウインドガラスの内面に装着するとき、ルームミラーを通過させるための窪み９が設けられている。
【００２２】
以上の構成からなる日除け具Ｓは、図１に示すように広げて自動車のフロントウインドガラス内面側に装着するのであって、装着時、表面側遮光シート部１がフロントウインドガラスと対向するようにセットする。
【００２３】
以上のように日除け具Ｓを車室内の所定位置にセットすることで、フロントウインドガラスを透過して車内に入射しようとする輻射熱が、表面側遮光シート部１の反射層４により車室外に向けて反射されると共に断熱部３で確実に遮断されるのである。
【００２４】
従って、特に夏場などにおいて車室内が高温になるのを効率よく防止することが出来るのである。
【００２５】
またウインドガラスへの日除け具Ｓの装着により、太陽光などの光が光触媒層５の表面に照射されるに伴い、その光に含まれる紫外線がマイクロカプセル内の光触媒に作用し、これにより、光触媒層の表面に電子と正孔が発生し、これらが車室内の臭成分の分子と反応して、臭成分が分解されて、車室内の空気が清浄化されるのである。
【００２６】
このように、以上の日除け具Ｓにあっては、車室内の空気の清浄化を行なうのに、紫外線による光触媒の反応を利用しているので、メンテナンスフリーとなり、従来のようなフィルタ交換などの作業が不要であるし、しかもその清浄作用も持続性があり、構成自体も簡単で安価に製造することが出来るので、製造コストやランニングコストを削減できる。
【００２７】
尚、以上の日除け具Ｓを使用しない時には、図３に示すように、日除け具Ｓを折り曲げ線状部４により蛇腹状に折り畳んだ上で、その周囲にリング状のバンド６をかけて保管するのであって、以上のごとく折り畳むことにより嵩も小さくなり、保管が手軽となる。
【００２８】
以上の実施形態では、表面側遮光シート部１を構成するシート１１の表面にのみ反射層４を積層し、裏面側遮光シート部１２を構成するシート２１の表面にのみ光触媒層５を積層したが、これに限定されるものではなく、両シート１１・２１両面に反射層４を設けて、この反射層４の表面に更に光触媒層５を積層するようにしてもよい。
【００２９】
また以上の実施形態では、自動車のフロントウインドガラスの内面側に装着する日除け具に本発明を適用したが、これに限定されるものではなく、例えば自動車のリヤウインドガラスに装着する日除け具に適用してもよい。
【００３０】
【発明の効果】
以上のように、請求項１に記載の発明によれば、日除け具本体の表面と裏面の少なくともいずれか一方に光触媒層を積層したことにより、遮光性は勿論のこと、車室内の脱臭が継続的にしかもメンテナンスフリーで手軽に行なうことが出来るに至ったのである。
【００３１】
また請求項２に記載の発明によれば、請求項１に記載の自動車用日除け具において、日除け具本体の裏面に光触媒層を積層し、日除け具本体の表面に、光を反射させるための反射層を積層したことにより、請求項１に記載の発明の効果に加え、ウインドガラスを透過して車内に入射する輻射熱を反射層により車外に向けて反射させることが出来るので、車室内が高温になるのを効率良く防止することが出来るに至ったのである。
【図面の簡単な説明】
【図１】本発明にかかる日除け具を展開して示す側面図。
【図２】同、要部の拡大断面図。
【図３】本発明にかかる日除け具を折り畳んで示す斜視図。
【符号の説明】
Ｓ　　　日除け具
１　　　表面側遮光シート部
２　　　裏面側遮光シート部
３　　　断熱部
４　　　反射層
５　　　光触媒層
【図１】
2004034901.tif 000003
【図２】
2004034901.tif 000004
【図３】
2004034901.tif 000005